(57)【要約】【課題】人体の種々の部位を一つの用具で押圧可能なる人体用の押圧具を提供する。【解決手段】２本の棒体を設けるとともに、各棒体端部間の開閉手段を設け、一方、その端部に押圧部を有する有孔の押圧体を設け、該押圧体は棒体に対し挿入可能であるとともにスライド可能かつ回動不能として、以上の棒体と押圧体との組み合わせよりなることを特徴とする。【選択図】図５
2012157677.tif 000002
【特許請求の範囲】
【請求項１】
２本の棒体を設けるとともに、各棒体端部間の角度可変接続手段を設け、一方、その端部に押圧部を有する有孔の押圧体を設け、該押圧体は棒体に対し挿入可能であるとともにスライド可能かつ回動不能として、以上の棒体と押圧体との組み合わせよりなることを特徴とする押圧位置可変型人体押圧具。
【発明の詳細な説明】
【技術分野】
【０００１】  この発明は、押圧位置を所定範囲内にて自在に変えることのできる、人体押圧具に関する。
【背景技術】
【０００２】  従来より、種々の人体押圧具が利用されているが、本発明にて示すように、押圧位置可変型のものは見あたらない。
【発明の開示】
【発明が解決しようとする課題】
【０００３】  人体を健康に保つには血流が良好であることがその条件の一つである。日々の生活において、緊張その他の原因により首や肩のこりを生ずることがあり、指圧や肩たたきなどの外的刺激にて血流が改善され、症状が回復することが多くある。以前より、このような場合に用いる用具が多数開発され多用されてきた。たとえば、背部を押圧する器具があり、棒体に２本の押圧棒が所定間隔にて直角に固定されたものがあるが、その構造上、人体サイズへの対応が不十分である。あるいは、柄にカーブした弾力体を設けて、一人で肩を押圧するものがあるが、双方の肩の同時押圧は不能であり、一人で行うのでその押圧力も不十分な場合がある。また、従来の押圧用具は頸部、肩部、背部、臀部等に別々に分けて使用されるため、各々の用具が必要で経済的ではない。
本発明は、以上のような従来からの人体押圧具に関わる課題を解決するために発明されたもので、人体に対する押圧位置の可変が容易であるとともに、種々の部位に対する押圧を可能とする、新規かつ有用なる手段を提供することを目的として開発されたものである。
【課題を解決するための手段】
【０００４】  課題を解決する手段として本発明は以下の構成とした。
すなわち、２本の棒体を設けるとともに、各棒体端部間の角度可変接続手段を設け、一方、その端部に押圧部を有する有孔の押圧体を設け、該押圧体は棒体に対し挿入可能であるとともにスライド可能かつ回動不能として、以上の棒体と押圧体とを組み合わせる。
本発明は以上の構成よりなる押圧位置可変型人体押圧具である。
【発明の効果】
【０００５】１．主体に対し押圧体は適度の摩擦抵抗にてスライド可能のため、人体に対する同時押圧  位置を適宜に設定することができる。
２．主体は二つ折り角度変更可能のため、双方の押圧体角度を可変として、人体に対する  押圧角度を設定することができる。とくに首部への押圧時に有効である。
３．主体に対し押圧体は容易に着脱でき、双方を分離することにて、運搬や収納に便利で  ある。
４．後述例のように、押圧体に対し押圧部を長さを違えて２カ所設けることで、押圧部位  に応じて使い分けることができる。
【発明を実施するための最良の形態】
【０００６】  以下、本発明の実施形態について説明する。
図において、１は主体で、断面略楕円形の所定長木製棒体２本の端部を市販の蝶番２にて開閉可能に接続して形成される。３は押圧体である。この押圧体は以下のごとく構成される。短円柱形の木製棒体の中央に略楕円形の貫通孔を設けて環体４とし、、この貫通孔は前記主体に対して適度の嵌合状態にて挿入可能なサイズとし、該環体の上部に円柱形の短突体５を固着し、この短突体に覆設可能なる弾力体としての硬質ゴム製中空の押圧部６を設ける。この押圧部は、ゴム製筒状上部に略半球状の非中空部分を有し、前記短突体に圧入可能であって、図３のごとく短突体に挿入保持される。７は長突体で、短突体よりやや長く形成される円柱状部分であって、環体の下部すなわち短突体と反対方向に突出する部分であり、同様に押圧部６が覆設される。
以上の構成から、主体は図４のように折り曲げ可能となり、また図１のように双方の押圧体は主体に対しスライド移動が可能であるとともに、主体に対する回動は防止される。【０００７】  次に、本発明の使用について説明する。図１〜図２のごとく、主体に押圧体を挿入して適宜位置まで移動させる。このとき、短突体側を主体の非開方向としておく。
肩への押圧時は図５のごとく、押圧を受けようとする人の肩上に押圧部をあてがい、やや体重をかけながら肩を押圧する。押圧体は主体に対しスライド可能なので、押圧体位置を適宜に変えて押圧することができる。押圧時は押圧を受ける人の姿勢を低めにすると体重をかけやすくなる。既述のように、主体は略断面楕円形のため、作業中に主体に対し押圧体が回ることはない。首部への押圧のときは、図４にて示すように主体を折曲して短突体側の押圧部を首に当てて押圧すればよい。このときも押圧体を適宜にスライドさせることにて押圧位置を変えることができる。本発明不使用時は、主体より双方の押圧体を抜き取ってコンパクトに収納・運搬することができる。【０００８】  以上、本発明について記したが、本発明は押圧体位置とその相互角度を可変としたところにその特徴を有し、人体の種々の部位への押圧を可能とするものである。
従来はこのような用具がなく、押圧する部位ごとにそれぞれ専用の用具が必要であったが、本発明にて多様な使い方のできる新たなる用具が得られることとなったのである。
一般に、指圧師や整体師は腕力を使い手指を酷使して手指に障害を受けることも多い。
本発明は体重を加えて押圧する器具のために、さほど腕力を必要とせずその用法も容易であり、一般人でも十分用いることができるものである。
本品は全身骨格筋の押圧に適し、特に頸部、肩部、背部、臀部等への押圧に最適である。
また、既述のように押圧体位置変更可能のため、人体サイズ変化に対応でき、押圧位置の選択ができる。なお、記述例では主体断面および環体の孔を略楕円形としたが、これ以外の形、たとえば多角形を用いたり、あるいは主体に溝を環体に内凸部を設けて、溝に該凸部を挿入してスライドさせることにて、主体に対する環体の回動防止としてもよい。
押圧部はゴム製非中空部を有するので、人体押圧時に適度の弾力を得ることができる。
あるいは、弾力体としてはゴム以外に軟質合成樹脂を用いてもよい。
また、必要に応じて、押圧体を既述例と逆方向、すなわち長突側を既述例の短突側にして用いることもできる。
以上のごとく、本発明によって押圧をする側と受ける側の双方にとって有用なる押圧具を得ることができる。
【図面の簡単な説明】
【０００９】
【図１】本発明の平面図
【図２】本発明の正面図
【図３】本発明の拡大右側面図
【図４】本発明の使用状態図
【図５】本発明の使用状態図
【符号の説明】
【００１０】１  主体
２  蝶番
３  押圧体
４  環体
５  短突体
６  押圧部
７  長突体
８  首部
【図１】
2012157677.tif 000003
【図２】
2012157677.tif 000004
【図３】
2012157677.tif 000005
【図４】
2012157677.tif 000006
【図５】
2012157677.tif 000007